(57)【要約】【課題】サインの視認性と演出の多様性を両立できる立体サイン付きディスプレイ装置を提供する。【解決手段】表面に透明パネル１１ａを有して静止画または／および動画で構成される画像を表示する表示パネル１１と、前記表示パネル１１による画像の表示を制御する制御部３とを備え、前記透明パネル１１の表面側に部分的に設けられて文字、図形、または模様を表す形状に形成された厚みのある透光性の立体サイン部１０を有する立体サイン付きディスプレイ装置１。【選択図】図１
2019148616.tif 000002
【特許請求の範囲】
【請求項１】
表面に透明パネルを有して静止画または／および動画で構成される画像を表示する表示パネルと、
前記表示パネルによる画像の表示を制御する制御部とを備え、
前記透明パネルの表面側に部分的に設けられて文字、図形、または模様を表す形状に形成された厚みのある透光性の立体サイン部を有する
立体サイン付きディスプレイ装置。
【請求項２】
前記立体サイン部は、無色透明の素材で形成され前記透明パネルの表面との対向面の８０％以上が前記透明パネルに連結された
請求項１記載の立体サイン付きディスプレイ装置。
【請求項３】
前記立体サイン部は、５０％以上が、前記透明パネルの表面から同じ突出高さで、かつ、表面が前記透明パネルの表面に平行に構成された
請求項１または２記載の立体サイン付きディスプレイ装置。
【請求項４】
前記立体サイン部は、前記表面の周囲に周面を有し、当該周面と前記立体サイン部の表面と前記透明パネルの表面がいずれも同じグレア又はノングレアに形成されている
請求項３記載の立体サイン付きディスプレイ装置。
【請求項５】
前記表示パネルの表面側を被覆する不透明の板状の化粧パネルを備え、
前記化粧パネルは、前記立体サイン部に対向する領域及び当該領域の近傍が開口する表示窓を有する
請求項１から４の何れかに記載の立体サイン付きディスプレイ装置。
【請求項６】
前記化粧パネルには、文字、図形、または模様を表す形状に開口された意匠性開口部が形成されている
請求項５記載の立体サイン付きディスプレイ装置。
【請求項７】
前記制御部は、ＣＰＵと内部メモリと操作部とメモリカードＩ／Ｆ部を備え、画像データを格納した着脱自在の記憶媒体を装着して前記表示パネルによる画像の表示を制御する
請求項１から６の何れかに記載の立体サイン付きディスプレイ装置。
【発明の詳細な説明】
【技術分野】
【０００１】
この発明は、例えば店名やロゴの照明サインや照明広告等に利用されるような立体サイン付きディスプレイ装置に関する。
【背景技術】
【０００２】
従来、店名やロゴを明るく表示する照明サインや照明広告と呼ばれるような意匠性発光装置が提供されている。このような意匠性発光装置は、光源の光を前面パネルで拡散して拡散光を放出し、店名やロゴ等の意匠を明るく表示するものである。この意匠性発光装置は、視認性が高く美しいことから、ブランドの店舗の正面や入口でブランド名を表示するなど、様々な場所で利用されている。
【０００３】
このような意匠性発光装置は、従来のネオンサインから始まって、近年のＬＥＤを用いたＬＥＤサインまで変化してきており、様々な意匠性が求められている。 
【０００４】
例えば、特許文献１には、発光ダイオードを用いて発光広告装置を構成するにあたり、安価でありながら高級感のあるものに構成することを目的として、複数色の発光ダイオードを用いて所定の図柄、文字を描いて構成される第一表示部と、単色（赤色）の発光ダイオードを縦横行列状に配設し、これら配設した単色発光ダイオードをビットマップ形式で駆動表示して文字を変化させて表示する第二表示部とで構成する発光広告装置が開示されている。
【先行技術文献】
【特許文献】
【０００５】
【特許文献１】特開２０００−１３２１２０号公報
【発明の概要】
【発明が解決しようとする課題】
【０００６】
しかしながら、上述の発光広告装置は、表示の異なる第一表示部と第二表示部とで構成しただけであってサインの視認性と演出の多様性を両立できるようなものではなかった。
【０００７】
本願発明は、上述の問題に鑑みてなされたものであり、サインの視認性と演出の多様性を両立できる立体サイン付きディスプレイ装置を提供することを目的とする。
【課題を解決するための手段】
【０００８】
本願発明は、静止画または／および動画で構成される画像を表示するパネルと、前記パネルによる画像の表示を制御する制御部とを備え、前記パネルの表面側に部分的に設けられて文字、図形、または模様を表す形状に形成された厚みのある透光性の立体サイン部を有する立体サイン付きディスプレイ装置であることを特徴とする。
【発明の効果】
【０００９】
本願発明により、サインの視認性と演出の多様性を両立できる立体サイン付きディスプレイ装置を提供できる。
【図面の簡単な説明】
【００１０】
【図１】立体サイン付きディスプレイ装置の説明図。
【図２】立体サイン部の説明図。
【図３】立体サイン付きディスプレイ装置の演出説明図。
【図４】実施例２の立体サイン付きディスプレイ装置の説明図
【発明を実施するための形態】
【００１１】
以下、本願発明の一実施形態を図面と共に説明する。
【実施例１】
【００１２】
＜立体サイン付きディスプレイ装置＞
図１は、立体サイン付きディスプレイ装置１の説明図である。
立体サイン付きディスプレイ装置１は、正面が矩形状に開口した厚みの薄い箱型で、正面の４辺に額縁９を有し、画像を表示する板状の表示パネル１１が額縁９に嵌め込まれている。立体サイン付きディスプレイ装置１は、表示パネル１１による画像の表示を制御する制御部３を内蔵し、表示パネル１１の表面側には部分的に設けられた立体サイン部１０を備えている。立体サイン付きディスプレイ装置１は、広告や宣伝のために商店等の建物の正面の壁に設置され、通行人の目に付くようになっている。立体サイン付きディスプレイ装置１が設置される壁は、建物の正面の壁に限るものではなく、傾斜している壁、天井の壁など、適宜の壁とすることができる。
【００１３】
＜表示パネル＞
表示パネル１１は、例えば、液晶パネルや有機ＥＬパネル等を用いることができ、ここでは、表面に透明パネル１１ａを有し裏面にバックライト１３を有してその間に液晶表示層１１ｂを有する液晶パネルを用いている。液晶表示層１１ｂは、表面から順に透明電極、配向膜、液槽層、配向膜、透明電極、およびアレイ基板が多層構造に設けられている一般的な液晶表示部を用いている。透明パネル１１ａは、厚み一定の平面状であり長方形に構成されている。なお、実施例では、透明パネル１１ａおよび表示パネル１１を平面状に形成しているが、例えば円柱形の柱の表面に巻き付けるようにして横断面円弧状に湾曲させた湾曲面状に形成するなど、適宜の構成とすることができる。この場合も、透明パネル１１ａは厚み一定に形成されている。
【００１４】
表示パネル１１の画面サイズは、５０インチ型以上の大型サイズが通行人に見やすくて好ましい。表示パネル１１の形状は、設置される壁の形状や模様、設置スペース等に応じて選択すればよく、スクエア型でもワイド型でも構わない。表示パネル１１の表面に設けられている透明パネル１１ａは、グレア（光沢）の方が静止画や動画が美しく感じられ好ましい。周囲の設置環境によっては、外部からの映り込みを少なくするため、透明パネル１１ａの表面にノングレア（非光沢）加工を施してもよい。表示パネル１１の解像度は、フルＨＤの１９２０×１０８０以上が静止画や動画を滑らかに表示できて好ましい。表示パネル１１の応答速度は、残像を少なくするため８ｍ秒以下が好ましい。表示パネル１１のコントラスト比は、画像のメリハリを強くするため１０００：１以上が好ましい。表示パネル１１の駆動方式には、ＩＰＳ方式、ＶＡ方式、ＴＮ方式があるが、表示パネル１１を斜め横から見る機会が多い場合には高画質で視野角を広く取れるＩＰＳ方式を、また、演出効果で画像のメリハリを強調したい場合にはコントラスト比を高くできるＶＡ方式を、動きの速い動画で速い応答速度を要求する場合にはＴＮ方式を、広告や宣伝に用いる画像の演出コンテンツに応じて選択するのが好ましい。
【００１５】
＜制御部＞
制御部３は、ＣＰＵと内部メモリに加え、操作部３ａとメモリカードＩ／Ｆ部３ｂを備えている。制御部３は、立体サイン付きディスプレイ装置１内の表示パネル１１の後方に配置され、立体サイン付きディスプレイ装置１の下面に操作部３ａとメモリカードＩ／Ｆ部３ｂとが露出するように設置されている。操作部３ａは、電源のＯＮ／ＯＦＦスイッチが設けられている。メモリカードＩ／Ｆ部３ｂは、例えば、ＳＤメモリカードやＵＳＢメモリ等のメモリカード（記憶媒体）を装着するＩ／Ｆ（インターフェース）が設けられている。制御部３は、操作部３ａの電源がＯＮとなり、メモリカードＩ／Ｆ部３ｂに、画像データおよび画像データのシーケンスプログラムを格納した着脱自在のメモリカードが装着されると、ＣＰＵが画像データおよび画像データのシーケンスプログラムを内部メモリに自動的に取り込み、取り込んだ画像データのシーケンスプログラムに従って画像データを表示パネル１１に順次伝送し、表示パネル１１に静止画や動画を表示させる。
【００１６】
尚、スピーカ（図示せず）をさらに設置して、制御部３と接続してもよい。この場合、音声データと、画像データのシーケンスに合わせて出力する音声データのシーケンスプログラムとを上述のメモリカードに追加して格納しておけば、表示パネル１１に表示される静止画や動画に合わせて音声をスピーカから出力させることができる。
【００１７】
＜立体サイン部＞
立体サイン部１０は、文字、図形、または模様を表す形状に形成され、この例では、「ＤＡＩＫＡＮ」という文字と、「波の形」を模した当該文字の下方の傍線状の図形とを表す形状に形成されている。
【００１８】
図２は、立体サイン部１０の説明図である。  
立体サイン部１０は、無色透明な素材で形成されており、この例では、無色透明のアクリル素材が用いられている。アクリル素材の厚さの上限は、１００ｍｍ以下とすることができ、５０ｍｍ以下が好ましく、１０ｍｍ以下がより好ましい。このようにすることで、透明度を保つことができる。また、アクリル素材の厚さの下限は、１ｍｍ以上とすることができ、２ｍｍ以上とすることがより好ましい。これにより、強度を保つことができる。なお、立体サイン部１０を形成するアクリル素材の厚さは、透明パネル１１ａよりも厚くすることが好ましく、透明度と強度の観点から、２〜４ｍｍが最も好ましい。
【００１９】
立体サイン部１０は、複数のオブジェクト１４により構成されている。各オブジェクト１４は、透明パネル１１ａからの突出量である高さがいずれも同じ一定の高さとなり、表面１５が透明パネル１１ａの表面１９と平行な面となるように構成されている。また、表面１５は、透明パネル１１ａがグレア加工であれば同じくグレア加工とされ、透明パネル１１ａがノングレア加工であれば同じくノングレア加工とされている。これにより、透明パネル１１ａと立体サイン部１０の透明度がほぼ同じ状態となるように構成され、画像による演出を良好に視認できるようにしている。
【００２０】
なお、この実施例のように透明パネル１１ａが平面のときは、立体サイン部１０も平面に形成されるが、透明パネル１１ａが円弧状等の湾曲面のときは、立体サイン部１０も同じ湾曲面に形成することが好ましい。これにより、透明パネル１１ａから突出する高さを一定に保つことができる。
【００２１】
各オブジェクト１４の周面１６は、表示パネル１１の表面１９およびオブジェクト１４の表面１５に対して垂直に構成されている。この周面１６も、透明パネル１１ａおよび表面１５がグレア加工されていればグレア加工がなされ、透明パネル１１ａおよび表面１５がノングレア加工されていればノングレア加工がなされている。これにより、全体の演出が良好に行えるように構成されている。なお、各オブジェクト１４の周面１６は、このように直角にすることに限らず、オブジェエクト１４が表示パネル１１の接続部分から突出するに従って表面１５と平行な断面の断面積が小さくなっていくように傾斜させた傾斜面または湾曲面とする、あるいは階段状にするなど、適宜の構成とすることができる。このとき、サイン（看板）としての意匠性と画像表示の意匠性の観点から、階段状のように表面１５と平行な面が存在しない前記傾斜面、前記湾曲面、または前記垂直面が好ましく、傾斜が存在しない前記垂直面がより好ましい。
【００２２】
オブジェクト１４の表面１５と周面１６の接続部分は、断面が直角となる角部１７が形成されている。なお、この角部１７は、Ｒ（アール）を設けて湾曲する角とする、あるいは表面１５に対して４５度等の所定の角度の平面となるよう面取りをする等、直角の角とならない形状に形成してもよい。このとき、角部１７は、平面が存在しないように平面状の面取りをせずに直角または湾曲とすることが好ましく、他の方向へ光を反射しないように直角とすることがより好ましい。
【００２３】
なお、立体サイン部１０は、一部に高さや表面形状が異なるものが混在していても良い。この場合でも、所定量以上のオブジェクト１４の表面１５が同じ高さで同じ面上に同じ角部１７および周面１６の形状で構成されていることで、サインとしての意匠性と画像表示の意匠性を両立できる。所定量は、５０％以上とすることができ、７０％以上とすることが好ましく、９０％以上とすることがより好ましい。
【００２４】
＜接着剤＞
立体サイン部１０は、透明パネル１１ａの表面１９上に接着剤１２で接着されることによって連結されている。接着剤１２には、主成分がジクロロメタンあるいはアクリル系の、可視光の照射によって硬化する可視光硬化性の接着剤を用いている。立体サイン部１０の接着に際して、まず、立体サイン部１０の裏面１８全面に隙間なく接着剤１２を薄く（１ミリ以下）塗布する。次に、接着剤１２が塗布された立体サイン部１０の裏面１８を透明パネル１１ａの表面１９の所定の位置に押し当て、その後、立体サイン部１０の表面１５側から可視光を照射する。照射された可視光は立体サイン部１０を透過した後、接着剤１２に照射され接着剤１２を硬化させる。
【００２５】
このようにして、透明パネル１１ａの表面１９上の所定の位置に立体サイン部１０を正確かつ容易に接着することができる。また、立体サイン部１０は、アクリル素材で形成されているため、可視光の透過率が高く、そのため、接着剤１２を短時間で硬化させることができ、しかも、強固に接着することができる。さらに、硬化して接着された接着剤１２は、無色透明で、光の透過性が高い。このため、表示パネル１１の背後から発せられたバックライト１３からの光は、表示パネル１１の表面１９から放射され、一部が表示パネル１１の表面１９と立体サイン部１０の裏面１８との間の接着剤１２に到達しても、光の透過性の高い接着剤１２においては、反射や分散が起きにくい。
【００２６】
また、立体サイン部１０と透明パネル１１ａの対向面が全面隙間なく接着されており、気泡や隙間が存在しないように構成されている。これにより、表示パネル１１により表示される画像を気泡等で妨げることなく、人に良好に視認させることができる。立体サイン部１０と透明パネル１１ａの間は、少なくとも８０％以上が接着剤１２により埋め尽くされて隙間が２０％未満とすることができ、９０％以上を埋め尽くして隙間が１０％未満であることが好ましく、９５％以上を埋め尽くして隙間が５％未満であることがより好ましい。
【００２７】
尚、立体サイン部１０の裏面１８に複数の溝を予め形成しておいてもよい。この場合、立体サイン部１０の接着に際して、接着剤１２が塗布された立体サイン部１０の裏面１８を表示パネル１１の表面１９の所定の位置に押し当てた際に、接着剤１２は立体サイン部１０の裏面１８の溝に沿って流動しやすく、それによって、接着剤１２中に気泡が巻き込まれにくくなる。これにより、大きなオブジェクト１４で、裏面１８の接着面積が大きなものであっても、気泡の巻き込みのない綺麗な接着面を形成することができる。
【００２８】
また、厚みのある透明板からの削り出しや金型による型抜き等の適宜の方法によって透明パネル１１ａと立体サイン部１０を同一素材により一体形成として透明パネル１１ａと立体サイン部１０を連結してもよい。この場合も、透明パネル１１ａは厚み一定の面状とし、立体サイン部１０も大部分（上述した所定量）が透明パネル１１ａよりも表面側へ突出した高さ一定の面状である構成とするとよい。
【００２９】
＜宣伝、広告の演出動作＞
立体サイン部１０の立体的形状に合わせた静止画または／および動画で構成される画像データと画像データのシーケンスプログラムを格納した着脱自在のメモリカードを予め準備しておく。制御部３の操作部３ａの電源をＯＮにした後、当該メモリカードをメモリカードＩ／Ｆ部３ｂに装着する。制御部３は、メモリカードの装着を認識するとＣＰＵが自動的に画像データおよび画像データのシーケンスプログラムを内部メモリに取り込み、取り込んだ画像データのシーケンスプログラムに従って画像データを表示パネル１１に順次伝送し、そして、表示パネル１１に静止画や動画を表示させる。
【００３０】
ここで、表示される静止画や動画には、広告や宣伝のために様々な趣向を凝らした演出が施されている。
【００３１】
図３は、演出例をモノクロ写真により説明する説明図である。  
図３（Ａ）に示すように、立体サイン部１０および透明パネル１１ａにおける表示パネル１１の表示をブラック（消灯）にしているとき、視認する角度等によって、立体サイン部１０を構成するオブジェクト１４の周面１６が環境光によって白く光って見える。従って、明瞭ではないものの、立体サイン部１０が立体的なサインとして存在することが視認される。
【００３２】
ここに、図３（Ｂ）に示すように、立体サイン部１０の形状と完全には一致しない画像３１を表示パネル１１に表示すると、立体サイン部１０の形状に沿った画像３１部分については立体的に見え、それ以外の部分については立体サイン部１０の形状が気にならないように画像で演出できる。なお、この図３（Ｂ）の例は、立体サイン部１０の縁（周面１６）が線状で何重にも外側に広がっている形状の画像３１が表示され、一番内側（一番小さい）の線状形状が立体サイン部１０の縁（周面１６）に一致するように表示されている。その他の部分は消灯されてブラック表示となっている。このときの画像３１を表示している状態は、立体サイン部１０の形状とは異なる立体サイン形状無関係演出モードから、立体サイン部１０の形状に合わせた立体サイン形状強調演出モードへ移行する移行演出モードとなる。
【００３３】
この図３（Ｂ）に示した多重の線状画像を収束させて図３（Ｃ）に示すように立体サイン部１０の縁（周面１６）に一致する形状の画像３１を表示すると、単に線で描かれた画面表示とは異なり、立体サイン部１０の縁（周面１６）と画像３１が相乗効果を発揮して立体的な線状に光るサインのように視認される。
【００３４】
図４（Ｄ）は、立体サイン部１０と同じ形状（ＤＡＩＫＡＮの文字とその下の波線）の発光部と、その下方に立体サイン部１０の文字よりも小さい大きさの文字表示の発光をさせる画像３１を表示した例である。この場合、立体サイン部１０の文字は大きく立体的に見せつつ、文字サイズがそれよりも１／２０以下と小さい「Ｈａｒｍｏｎｉｚｉｎｇ  ｑｕａｌｉｔｙ  Ｃｒａｆｔｍａｎｓｈｉｐ  ｗｉｔｈ  Ｈｉ−Ｔｅｃｈ  ｉｎｎｏｖａｔｉｏｎ」の文字も明瞭に視認される。すなわち、小さな文字は、立体サイン部１０が無いことによって立体的には視認されないものの文字の縁がブレて見えることもなく明瞭に視認される。この図４（Ｄ）の画像３１を表示している状態は、立体サイン部１０を強調する立体サイン形状強調演出モードとなる。
【００３５】
また、図４（Ｅ）に示すように。立体サイン部１０部分は発行させずにブラック表示（消灯）とし、その他の部分（透明パネル１１ａ）に画像３１を表示した場合、立体サイン部１０部分が黒色で暗いにもかかわらず、立体サイン部１０の縁（周面１６）によって立体サイン部１０が立体的に視認される。従って、この場合も明瞭なサインとして機能する。
【００３６】
その他、例えば、立体サイン部１０の「波の形」の図形のオブジェクト１４を横長の透明グラスに見立てて、「波の形」の上方に配置された「ＤＡＩＫＡＮ」という文字の各オブジェクト１４の縁に沿ってコバルトブルーの大小様々な複数の液状体が流れ落ち、それらを「波の形」の透明グラスで受け止めるかのように見せかける演出や、立体サイン部１０の「Ｄ」「Ａ」「Ｉ」「Ｋ」「Ａ」「Ｎ」の順に、あたかも生き物が、例えば、「Ｄ」の形状から「Ａ」の形状に徐々に変形しながら、同時に、「Ｄ」の位置から「Ａ」の位置に徐々に移動するかのように見せかけたりする演出や、額縁９のある上下左右の４方向から「ＤＡＩＫＡＮ」という文字列に向けて筆を進め、「ＤＡＩＫＡＮ」という文字の各オブジェクト１４の縁に沿って一筆書きを行っているかの如き演出が施されている。上述のような表示パネル１１に表示される静止画や動画の画像の様々な演出により、立体サイン部１０の各オブジェクト１４の縁が特に強調され、これによって、人の目は立体サイン部１０に惹き付けられるようになる。そして、立体サイン部１０の表示が脳裏に強く印象付けられるようになり、宣伝、広告効果は向上する。ここでは、オブジェクト１４の縁の角部１７に、上述のような形状の工夫が凝らされているため、角部１７から放射される光は優しく高級感を醸し出している。そのため、立体サイン部１０が表示する「ＤＡＩＫＡＮ」にも同様に、高級感を感じさせることができる。また、多数のミカンを画像３１と表示するなど、立体サイン部１０の形状とは関係がなく模様や柄が明瞭なコントラストの強い画像３１を表示パネル１１に表示してもよい。この場合は、立体サイン部１０がコントラストの強い画像３１によって目立たず、立体サイン部１０の形状に関係のない立体サイン形状無関係演出モードとして演出することができる。
【００３７】
以上の構成と動作により、表示パネル１１の表面１９側には、文字、図形、又は模様を表す形状に形成された厚みのある透光性の立体サイン部１０が部分的に設けられている。このような立体サイン部１０が設けられた表示パネル１１に接した人は、表示パネル１１上に一般的なニュース情報や娯楽情報が表示されるのではなく、立体サイン部１０が形成する文字等、ここでは「ＤＡＩＫＡＮ」に関連した情報が表示されるものと予感し、「ＤＡＩＫＡＮ」に関連した一体どんなものが表示されるのか気になり、つい見てしまうようになる。
【００３８】
また、立体サイン部１０は、無色透明の素材で形成され、表示パネル１０の表面１９に無色透明の接着剤１２で接着されている。そのため、立体サイン部１０が接着された直下の表示パネル１０から放出された光は、ほとんど減衰することなく立体サイン部１０を透過し放射される。そのため、立体サイン部１０の外形を鮮明に見せることができる。また、上述のような立体サイン部１０の各オブジェクト１４の縁を注目させるような画像の演出が行われることにより、見る人に、立体サイン部１０の、ここでは「ＤＡＩＫＡＮ」の文字に対して強烈な印象付けを行うことができる。さらには、趣の異なる複数種類の演出を行うことにより、見る人を飽きさせず、一旦見てしまうとそのまま見入ってしまうようにすることができる。
【００３９】
立体サイン部１０の各オブジェクト１４の縁の角部１７は、上述のようにＲ（アール）をつけるなど形状に工夫が凝らされている。このため、立体サイン部１０から放射される光は、刺々しさがなく、優しい柔らかな光となっている。これにより、例えば、立体サイン部１０の「ＤＡＩＫＡＮ」の文字がブランド名を表しているとすると、「ＤＡＩＫＡＮ」というブランドに洗練された高級なイメージを見る人に抱かせることができる。
【００４０】
また、例えば飲食店であれば、立体サイン部１０の存在しない透明パネル１１ａ部分にメニューを表示するといったこともできる。この場合、立体サイン部１０のサインとしての機能と、メニュー表示としての機能を両立させることができる。さらに、メニューの表示は、ランチタイムとディナータイムで表示を変更する、曜日によって表示を変更するなど、適宜変更することもできる。これにより、非常に使い勝手のよいサインおよび情報表示装置として利用することができる。
【００４１】
また、立体サイン部１０のオブジェクト１４は、全てが平面状の同じ高さの物とするのではなく、一部異なる立体形状のものを用いても良い。例えば、グラスを側面から見た形状で左右方向の中央が最も突出するグラス形状のオブジェクト１４を追加してもよい。この場合、このグラス形状のオブジェクト１４が立体的に視認されることに加えて、このグラス形状のオブジェクト１４にワインを注ぎ込むような画像３１を動画として表示することで、本当にワインがグラスに注がれているような演出を行うことができる。
【００４２】
このように、単に画像をディスプレイに表示するのとは異なり、立体サイン部１０を活かした立体的で存在感のある演出とサインとしての視認性の向上の両立を図ることができる。
【実施例２】
【００４３】
＜実施例２の立体サイン付きディスプレイ装置＞
図４は、実施例２の立体サイン付きディスプレイ装置１０１の説明図である。以下では、実施例１との相違点のみを記載し、同一の部位には同一の符号を付すものとする。
【００４４】
＜化粧パネル＞
表示パネル１１の表面１９側を被覆するように化粧パネル２０が設けられている。化粧パネル２０は、厚さが数ミリの矩形状の板体で、表示パネル１１及び額縁９を被覆する広さを有し、表示パネル１１に平行で、僅かに離間して配置され、外周部が額縁９に固定されている。化粧パネル２０は、不透明で、例えば、ステンレス素材や貴金属でコーティングされた素材で形成されている。化粧パネル２０の表面は、光沢を抑えるために艶消し処理を行ってもよく、逆に光沢を出すために鏡面仕上げとしてもよい。
【００４５】
化粧パネル２０は、表示パネル１１上に設けられた立体サイン部１０に対向する領域及び当該領域の近傍を開口する表示窓２０ａを有している。表示窓２０ａは、ここでは、矩形状の開口となっており、正面視において、立体サイン部１０の「ＤＡＩＫＡＮ」という文字と「波の形」を模した図形とが、背後の表示パネル１１の一部と共に、表示窓２０ａを通して見えるようになっている。すなわち、立体サイン部１０及びその近傍を表示窓２０ａ内に絞り込み、集中して見るように工夫されている。
【００４６】
化粧パネル２０には、文字、図形、または模様を表す形状に開口された意匠性開口部２０ｂが形成されている。意匠性開口部２０ｂは、ここでは、化粧パネル２０の斜め右下領域に、「ｗｉｔｈ  Ｈｉ−Ｔｅｃｈ  ｉｎｎｏｖａｔｉｏｎ」という文字の形状を打ち抜いて形成されている。意匠性開口部２０ｂは、化粧パネル２０の斜め右下領域に限らず何れの位置に形成してもよい。これにより、意匠性開口部２０ｂの背後に対向して存在する表示パネル１１が放出する光の色や、模様等を変化させることにより、意匠性開口部２０ｂの背後の色や、模様等を変化させることができる。
【００４７】
以上の構成と動作により、化粧パネル２０を設けたことにより、立体サイン付きディスプレイ装置１０１は、単なる市販されているディスプレイやモニタには見えないため、見る人に対して、宣伝、広告に無関係な一般的なニュース情報や娯楽情報が表示されるのではないかといった先入観すら抱かせないでおける。
【００４８】
また、化粧パネル２０は、ステンレス素材や貴金属でコーティングされた素材で形成されているため、見る人に高級感を感じさせることができる。
【００４９】
化粧パネル２０には表示窓２０ａの開口があるため、表示窓２０ａを通して、立体サイン部１０及びその近傍に絞り込んで集中して見てもらえるようになり、宣伝効果が向上する。
【００５０】
化粧パネル２０を打ち抜いて形成されている意匠性開口部２０ｂは、その背後の色や、模様等を変化させることができ、表示パネル１１上に設けられた立体サイン部１０に対するものとは趣の異なる演出ができる。
【産業上の利用可能性】
【００５１】
本願発明は、店名やロゴの照明サインや照明広告の産業に利用することができる。
【符号の説明】
【００５２】
１、１０１…立体サイン付きディスプレイ装置
３…制御部
３ａ…操作部
３ｂ…メモリカードＩ／Ｆ部
９…額縁
１０…立体サイン部
１１…表示パネル
１２…接着剤
１３…バックライト
１４…オブジェクト
１７…角部
２０…化粧パネル
２０ａ…表示窓
２０ｂ…意匠性開口部
【図１】
2019148616.tif 000003
【図２】
2019148616.tif 000004
【図３】
2019148616.tif 000005
【図４】
2019148616.tif 000006
【手続補正書】
【提出日】平成30年9月13日(2018.9.13)
【手続補正１】
【補正対象書類名】特許請求の範囲
【補正対象項目名】全文
【補正方法】変更
【補正の内容】
【特許請求の範囲】
【請求項１】
表面に透明パネルを有して静止画または／および動画で構成される画像を表示する表示パネルと、
前記表示パネルによる画像の表示を制御する制御部とを備え、
前記透明パネルの表面側に部分的に設けられて文字、図形、または模様を表す形状に形成された厚みのある透光性の立体サイン部を有し、
前記制御部は、
前記立体サイン部と同じ形状を強調する画像を前記表示パネルに表示して発光させる立体サイン形状強調演出モードと、
前記立体サイン部の形状と異なる画像を前記表示パネルに表示する立体サイン形状無関係演出モードとを実行する構成である
立体サイン付きディスプレイ装置。
【請求項２】
前記表示パネルは、前記画像として前記動画を表示できる構成であり、
前記制御部は、前記動画を用いて、前記立体サイン形状無関係演出モードから前記立体サイン形状強調演出モードへ移行する移行演出モードを実行する構成である
請求項１記載の立体サイン付きディスプレイ装置。
【請求項３】
前記立体サイン部は、無色透明の素材で形成され前記透明パネルの表面との対向面の８０％以上が前記透明パネルに連結された
請求項１または２記載の立体サイン付きディスプレイ装置。
【請求項４】
前記立体サイン部は、前記表面の周囲に周面を有し、当該周面と前記立体サイン部の表面と前記透明パネルの表面がいずれも同じグレア又はノングレアに形成されている
請求項３記載の立体サイン付きディスプレイ装置。
【請求項５】
表面に透明パネルを有して静止画または／および動画で構成される画像を表示する表示パネルと、
前記表示パネルによる画像の表示を制御する制御部とを備え、
前記透明パネルの表面側に部分的に設けられて文字、図形、または模様を表す形状に形成された厚みのある透光性の立体サイン部を有し、
前記表示パネルの表面側を被覆する不透明の板状の化粧パネルをさらに備え、
前記化粧パネルは、前記立体サイン部に対向する領域及び当該領域の近傍が開口する表示窓を有し、
前記化粧パネルには、文字、図形、または模様を表す形状に開口された意匠性開口部が形成されている
立体サイン付きディスプレイ装置。
【請求項６】
前記制御部は、ＣＰＵと内部メモリと操作部とメモリカードＩ／Ｆ部を備え、画像データを格納した着脱自在の記憶媒体を装着して前記表示パネルによる画像の表示を制御する
請求項１から５の何れかに記載の立体サイン付きディスプレイ装置。
【手続補正２】
【補正対象書類名】明細書
【補正対象項目名】０００８
【補正方法】変更
【補正の内容】
【０００８】
本願発明は、表面に透明パネルを有して静止画または／および動画で構成される画像を表示する表示パネルと、前記表示パネルによる画像の表示を制御する制御部とを備え、前記透明パネルの表面側に部分的に設けられて文字、図形、または模様を表す形状に形成された厚みのある透光性の立体サイン部を有し、前記制御部は、前記立体サイン部と同じ形状を強調する画像を前記表示パネルに表示して発光させる立体サイン形状強調演出モードと、前記立体サイン部の形状と異なる画像を前記表示パネルに表示する立体サイン形状無関係演出モードとを実行する構成であることを特徴とする。
また本願発明は、表面に透明パネルを有して静止画または／および動画で構成される画像を表示する表示パネルと、前記表示パネルによる画像の表示を制御する制御部とを備え、前記透明パネルの表面側に部分的に設けられて文字、図形、または模様を表す形状に形成された厚みのある透光性の立体サイン部を有し、前記表示パネルの表面側を被覆する不透明の板状の化粧パネルをさらに備え、前記化粧パネルは、前記立体サイン部に対向する領域及び当該領域の近傍が開口する表示窓を有し、前記化粧パネルには、文字、図形、または模様を表す形状に開口された意匠性開口部が形成されていることを特徴とする。